(57)【要約】  【課題】  異なる構成のアタッチメントを複数種用意して、表面パネル等のスイッチ取付部材側への取付を可能とし、押しボタンスイッチの構造をスイッチ取付部材側の取付構造に適合するように複数種用意するのではなく、押しボタンスイッチ構造の標準化を果たすことができ、これによって、押しボタンスイッチのコストダウンを達成した。  【解決手段】  押しボタンスイッチＡの押しボタン４０を表面パネルＢの取付孔Ｂ−１に挿入すると共に、取付孔Ｂ−１にアタッチメントである取付リング５４を挿入して、この取付リング５４の雄ねじ部５５をカバー部材６の内周部に設けた雌ねじ部１９に螺合させ、取付リング５４のフランジ部５６とカバー部材６の端面部とで表面パネルＢを挟持することで押しボタンスイッチＡを表面パネルＢに取付けるようにした。【選択図】  図３
2006331809.tif 000002
【特許請求の範囲】
【請求項１】
スイッチ本体に内蔵スイッチを押込み作動させる押しボタンを収容して、この押しボタンを前記スイッチ本体の端部より外方に突出させた構成の押しボタンスイッチを、取付用部材を用いてスイッチ取付部材に取付ける取付装置であって、
前記取付用部材は、前記スイッチ本体に着脱可能に装着されるアタッチメントであって、
前記押しボタンスイッチに前記アタッチメントを装着して、当該アタッチメントを、前記スイッチ取付部材側のアタッチメント連結部に連結することで、前記押しボタンスイッチを前記スイッチ取付部材に取付けるようにしたことを特徴とする押しボタンスイッチの取付装置。
【請求項２】
前記アタッチメントは取付リングであり、この取付リングは、その外周にフランジ部と雄ねじ部とを有して構成し、かつ、前記スイッチ本体の内周部に前記雄ねじ部が螺合する雌ねじ部を形成しており、
前記押しボタンスイッチを前記スイッチ取付部材に取付ける際、前記押しボタンを前記スイッチ取付部材側に設けた取付孔に挿入すると共に、前記取付孔に前記取付リングを挿入して、前記雄ねじ部を前記雌ねじ部に螺合させ、前記フランジ部と前記スイッチ本体とで前記スイッチ取付部材を挟持することで前記押しボタンスイッチを前記スイッチ取付部材に取付けるようにしたことを特徴とする請求項１に記載の押しボタンスイッチの取付装置。
【請求項３】
前記アタッチメントは、前記スイッチ本体の直径に略等しい長さの連結部位の両端部に屈曲部を形成し、前記屈曲部の外面に係合突起部を設けて構成してあり、
前記押しボタンスイッチを前記スイッチ取付部材に取付ける際、前記押しボタンを前記スイッチ取付部材に設けた取付孔に挿入した状態で、この押しボタンスイッチを回転させることで、前記係合突起部を、前記スイッチ取付部材側の前記アタッチメント連結部に設けた係合孔部及びガイド溝部のうち、該ガイド溝部を経て前記スイッチ係合孔部に係合することで前記押しボタンスイッチを前記スイッチ取付部材に取付けるようにしたことを特徴とする請求項１記載の押しボタンスイッチ取付装置。
【請求項４】
前記アタッチメントは、前記スイッチ本体の直径に略等しい長さの連結部位の両端部に屈曲部を形成し、前記屈曲部の外面に複数のボス部を設けて構成してあり、
前記押しボタンスイッチを前記スイッチ取付部材に取付ける際、前記押しボタンを前記スイッチ取付部材に設けた取付孔に挿入した状態で、前記ボス部に、前記スイッチ取付部材側のアタッチメント連結部に前記ボス部に対応して突設し先部にねじ部を有する取付用ロッドを挿入貫通させて、前記ねじ部にナット部材を螺合することで前記押しボタンスイッチを前記スイッチ取付部材に取付けるようにしたことを特徴とする請求項１に記載の押しボタンスイッチの取付装置。
【発明の詳細な説明】
【技術分野】
【０００１】
本発明は、例えば、エレベータの昇降方向を指示する方向指示スイッチとしてのエレベータスイッチ等に使用する押しボタンスイッチを、スイッチッチ取付部材である表面パネル等に取付ける取付装置に関する。
【背景技術】
【０００２】
一般に、乗場にいる利用客が操作するエレベータスイッチは、乗籠の現在位置を表示するインジケータと、乗籠の昇降指示操作に使う押しボタンスイッチと、この押しボタンスイッチを可動状態で取付保持する表面パネルとを有しており、これらは乗場側に面した壁面上に取付けてある。
【０００３】
従来の押しボタンスイッチの表面パネルへの取付は、図２０に示すように、押しボタンスイッチ１００のベース部材１０１に取付部１０２を形成して、ベース部材１０１を表面パネル１０３の取付孔１０４に挿入して、この表面パネル１０３の裏面に取付部１０２を沿わせて、取付部１０２を、ネジ部材１０５を用いて表面パネル１０３に固定することで行なわれていた。なお、１０６は押しボタン、１０７はプランジャ、１０８はコイルばね、１０９は内蔵スイッチである（特許文献１参照）。
【０００４】
また、従来の押しボタンスイッチの表面パネルへの取付には、押しボタンスイッチのベース部材にねじ部を形成して、ベース部材を表面パネルの取付孔に挿入して、ねじ部にナット部材を螺合して、このナット部材を締付けて、このナット部材とベース部材とで表面パネルを挟持することで行なうようにしたものもある。
【０００５】
また、従来の押しボタンスイッチの表面パネルへの取付には、押しボタンスイッチの裏側にボス部を設け、表面パネル側にスタッドボルトを設けて、押しボタンスイッチを表面パネルの取付孔に挿入してスタッドボルトをボス部に挿入して、このスタッドボルトに押しボタンスイッチの裏側からナット部材を螺合して行なうものもある。
【特許文献１】特開平７−２２３７８１号公報
【発明の開示】
【発明が解決しようとする課題】
【０００６】
しかし、上記した従来の押しボタンスイッチの取付装置は、どれも、一つの取付け方式を採用していて、他の取付け方式が採用できない構造になっているために、異なる押しボタンスイッチの取付けがそれぞれに異なり、不経済であるという問題点があった。また、押しボタンスイッチの表面パネルへの取付にネジ部材１０５を用いる場合や、ナット部材を用いる場合には、ネジ部材１０５やナット部材が必要になるばかりか、取付用工具が必要になり、現場での取付けの際に取付工数が多く作業性が悪いという問題点があった。
【０００７】
また、スタッドボルトを使用した押しボタンスイッチの表面パネルへの取付の場合、スタッドボルトは寸法精度が悪いので、押しボタンスイッチのセンタリングが不正確になり、センタリングが不正確な場合に生じる表面パネルとの干渉による内蔵スイッチの復帰不良が発生するという問題点があった。
【０００８】
本発明は、かかる従来の問題点を改善するためになされたもので、異なる構成のアタッチメントを複数種用意して、表面パネル等のスイッチ取付部材側への取付を可能とし、これにより、押しボタンスイッチの構造をスイッチ取付部材側の取付構造に適合するように複数種用意するのではなく、押しボタンスイッチ構造の標準化を果たすことができ、これによって、押しボタンスイッチのコストダウンを達成した押しボタンスイッチの取付装置を提供することである。
【課題を解決するための手段】
【０００９】
上記目的を達成するために、本発明に係る押しボタンスイッチの取付装置は、スイッチ本体に内蔵スイッチを押込み作動させる押しボタンを収容して、この押しボタンを前記スイッチ本体の端部より外方に突出させた構成の押しボタンスイッチを、取付用部材を用いてスイッチ取付部材に取付ける取付装置であって、前記取付用部材は、前記スイッチ本体に着脱可能に装着されるアタッチメントであって、前記押しボタンスイッチに前記アタッチメントを装着して、当該アタッチメントを、前記スイッチ取付部材側のアタッチメント連結部に連結することで、前記押しボタンスイッチを前記スイッチ取付部材に取付けるようにしたことを特徴とする。
【００１０】
従って、押しボタンスイッチにアタッチメントを装着して、当該アタッチメントをアタッチメント連結部に連結することで、押しボタンスイッチをスイッチ取付部材に取付けることができるために、異なるアタッチメントを複数種用意することによって、それぞれのアタッチメントに対応した押しボタンスイッチの取付けを行なうことができる。
【００１１】
この結果、押しボタンスイッチの構造をスイッチ取付部材側の取付構造に適合するように複数種用意するのではなく、押しボタンスイッチ構造の標準化を果たすことができ、これによって、押しボタンスイッチのコストダウンを達成することができる。
【００１２】
なお、ここで、スイッチ本体とは、例えば、ベース部材とカバー部材との組立体が該当し、内蔵スイッチとは、例えば、スイッチ本体内に収容されたタクタイルスイッチが該当し、取付用部材とは、例えば、アタッチメントとしての可動リングや他のアタッチメントが該当し、スイッチ取付部材とは、例えば、取付孔を有する表面パネルが該当する。
【００１３】
また、本発明に係る押しボタンスイッチの取付装置は、上記した本発明に係る押しボタンスイッチの取付装置において、前記アタッチメントは取付リングであり、この取付リングは、その外周にフランジ部と雄ねじ部とを有して構成し、かつ、前記スイッチ本体の内周部に前記雄ねじ部が螺合する雌ねじ部を形成しており、前記押しボタンスイッチを前記スイッチ取付部材に取付ける際、前記押しボタンを前記スイッチ取付部材側に設けた取付孔に挿入すると共に、前記取付孔に前記取付リングを挿入して、前記雄ねじ部を前記雌ねじ部に螺合させ、前記フランジ部と前記スイッチ本体とで前記スイッチ取付部材を挟持することで前記押しボタンスイッチを前記スイッチ取付部材に取付けるようにしたことを特徴とする。
【００１４】
従って、押しボタンを取付孔に挿入し、この取付孔に取付リングを挿入して雄ねじ部を雌ねじ部に螺合させ、フランジ部とスイッチ本体とで表面パネルを挟持することで押しボタンスイッチをスイッチ取付部材に取付けるために、押しボタンスイッチの取付位置決めが容易になるし、しかも、スイッチ取付部材の取付孔を基準に押しボタンスイッチを取付けるようになるので、押しボタンが表面パネルに対して傾くことがなく、この傾きにより生じた表面パネルとの干渉による内蔵スイッチの復帰不良の発生を防ぐことができる。
【００１５】
また、本発明に係る押しボタンスイッチの取付装置は、上記した本発明に係る押しボタンスイッチの取付装置において、アタッチメントが、前記スイッチ本体の直径に略等しい長さの連結部位の両端部に屈曲部を形成し、前記屈曲部の外面に係合突起部を設けて構成してあり、前記押しボタンスイッチを前記スイッチ取付部材に取付ける際、前記押しボタンを前記スイッチ取付部材に設けた取付孔に挿入した状態で、この押しボタンスイッチを回転させることで、前記係合突起部を、前記スイッチ取付部材側の前記アタッチメント連結部に設けた係合孔部及びガイド溝部のうち、該ガイド溝部を経て前記スイッチ係合孔部に係合することで前記押しボタンスイッチを前記スイッチ取付部材に取付けるようにしたことを特徴とする。
【００１６】
従って、押しボタンを取付孔に挿入して、この押しボタンスイッチを回転させることで、係合突起部をガイド溝部を経て係合孔部に係合することで押しボタンスイッチをスイッチ取付部材に取付けるために、取付工数を軽減することができるし、また、寸法が悪いスタッドボルトを使用しないので、押しボタンスイッチのセンタリングが良好（正確）になり、センタリングが悪い場合に生じるスイッチ取付部材との干渉による内蔵スイッチの復帰不良の発生を防ぐことができる。また、スタッドボルトを使用しないので、コストを軽減することができる。
【００１７】
また、本発明に係る押しボタンスイッチの取付装置は、上記した本発明に係る押しボタンスイッチの取付装置において、アタッチメントが、前記スイッチ本体の直径に略等しい長さの連結部位の両端部に屈曲部を形成し、前記屈曲部の外面に複数のボス部を設けて構成してあり、前記押しボタンスイッチを前記スイッチ取付部材に取付ける際、前記押しボタンを前記スイッチ取付部材に設けた取付孔に挿入した状態で、前記ボス部に、前記スイッチ取付部材側のアタッチメント連結部に前記ボス部に対応して突設し先部にねじ部を有する取付用ロッドを挿入貫通させて、前記ねじ部にナット部材を螺合することで前記押しボタンスイッチを前記スイッチ取付部材に取付けるようにしたことを特徴とする。
【００１８】
従って、取付用ロッドをボス部に挿入貫通させると共に、押しボタンを取付孔に挿入して、ねじ部にナット部材を螺合することで押しボタンスイッチをスイッチ取付部材に取付けるために、取付工数を軽減することができるし、また、寸法が悪いスタッドボルト等を使用しないので、押しボタンスイッチのセンタリングが良好になり、センタリングが悪い場合に生じるスイッチ取付部材との干渉による内蔵スイッチの復帰不良の発生を防ぐことができる。スタッドボルト等を使用しないので、コストを軽減することができる。特に、強度的にはねじ構成が一番信頼性があり、例えば、表面側から押しボタンスイッチを強く押したとき等、押しボタンスイッチが抜けないような取付け強度を確立することができる。
【発明の効果】
【００１９】
本発明に係る押しボタンスイッチの取付装置によれば、かかる構成により、押しボタンスイッチにアタッチメントを装着して、当該アタッチメントをアタッチメント連結部に連結することで、押しボタンスイッチをスイッチ取付部材に取付けることができるために、異なるアタッチメントを複数種用意することによって、それぞれのアタッチメントに対応した押しボタンスイッチの取付けを行なうことができる。
【００２０】
この結果、押しボタンスイッチの構造をスイッチ取付部材側の取付構造に適合するように複数種用意するのではなく、押しボタンスイッチ構造の標準化を果たすことができ、これによって、押しボタンスイッチのコストダウンを達成することができる。
【発明を実施するための最良の形態】
【００２１】
本発明に係る押しボタンスイッチの取付装置の実施の形態を、図面を参照して詳述する。
【００２２】
（実施の形態１）
本発明に係る押しボタンスイッチの取付装置の実施の形態１を図１乃至図５に示す。
【００２３】
図１は本発明に係る押しボタンスイッチの取付装置（実施の形態１）の分解状態の斜視図、図２は同押しボタンスイッチの取付装置（実施の形態１）により押しボタンスイッチを表面パネルに取付けた状態の斜視図、図３は同押しボタンスイッチの取付装置（実施の形態１）と押しボタンスイッチの縦断面図、図４は押しボタンスイッチの分解状態の斜視図、図５は同押しボタンスイッチの一部の分解状態を斜め上から見た斜視図、図６は同押しボタンスイッチの一部の分解状態を斜め下から見た斜視図である。
【００２４】
本発明に係る押しボタンスイッチの取付装置の実施の形態１は、押しボタンスイッチＡを、アタッチメント（取付用部材）である取付リング５４を用いてスイッチ取付部材としての表面パネルＢに取付けるようにしたものである。
【００２５】
押しボタンスイッチＡは、図４に示すように、スイッチ本体１と、スイッチ本体１に収容されたスイッチ部２と、スイッチ本体１に収容され且つスイッチ部２を作動するスイッチ駆動部３と、押しボタン部４とを備えている。
【００２６】
スイッチ本体１はベース部材５とカバー部材６とより構成してある。ベース部材５は、図５に示すように、円形状の底面部５ａと、その周辺に立設された周壁部５ｂを有していて、底面部５ａには略六角形状の開口部７とが形成してある。また、底面部５ａの内面側には略正方形状のスイッチ基板装着部８が形成してある。
【００２７】
そして、底面部５ａの内面には、図５に示すように、スイッチ基板装着部８の四隅に位置させてばね係止用突起部９とストッパ挿入部１０が設けてあり、これらストッパ挿入部１０には平面視コ字形状のガイド部１１が設けてあって、ガイド部１１にはプランジャ用ストッパ１１Ａが設けてある。また、開口部７の互いに対向する辺縁部には基板押え１２が設けてある。
【００２８】
そして、底面部５ａの周部５ｂには、図５に示すように、その周部を四等分した箇所にそれぞれカバー係合部１３が形成してあり、これらのカバー係合部１３は周部５ｂに形成した凹部１４に係止突起部１５を設けて構成してある。また、底面部５ａの外面には、図６に示すように、その半径方向にコネクタ嵌合溝部６０が形成してあり、また、底面部５ａの周縁部５ｃには、コネクタ嵌合溝部６０とは直交する方向に対向させて一対の凹溝状の係合部６１が設けてある。
【００２９】
カバー部材６は、図３及び図４に示すように、中空円筒形状のカバー本体６Ａを有しており、このカバー本体６Ａの端面部６ａにはシールリング装着溝部１８が形成してあり、カバー本体６Ａの内周にはアタッチメント連結部である雌ねじ部１９が形成してある。そして、カバー本体６Ａには、その周方向を四等分した箇所に係止片部２１が形成してある。これらの係止片部２１の先部には係止孔部２２が設けてある。
【００３０】
スイッチ部２は、図４及び図５に示すように、スイッチ基板２５と、このスイッチ基板２５に実装された内蔵スイッチであるタクタイルスイッチ２６と、スイッチ基板２５に実装されたコネクタ２７とをユニット化して構成してある。そして、スイッチ基板２５の裏側には、タクタイルスイッチ２６の端子２６Ａが突出している(図６参照)。
【００３１】
スイッチ駆動部３は、図５に示すように、操作部材３４と四個のばね部材であるコイルばね３５とより構成してある（図４、図５及び図６では二個のばね部材３５が表示してある）。この操作部材３４は、弾性を有する、例えば、板厚が０．５ｍｍ程度の金属板を打ち抜き成形することにより形成したもので、タクタイルスイッチ２６を動作させる突起状のスイッチ作動部３６が設けられた中央部位３４Ａと、中央部位３４Ａから四方に分岐された４本の分岐部３７を有していて、全体がほぼ十字形にしてある。そして、図３に示すように、各分岐部３７の先端部には孔部３８が形成してある。また、孔部３８の周部には円環状のばね受部３８Ａが形成してある。
【００３２】
押しボタン部４は、図４に示すように、円形キャップ状の押しボタン４０と、プランジャ４１と、シール部材４２とより構成してある。押しボタン４０は、その天井部４３の周部に周壁部４４を形成しており、この周壁部４４の端部にフランジ部４５が形成してある。
【００３３】
また、プランジャ４１は、図４乃至図６に示すように、中空円筒形状のプランジャ本体４６Ａと、プランジャ本体４６Ａの内端部に連設されたスカート部４６Ｂを有しており、プランジャ本体４６Ａの外周部にはシール装着溝部４７が形成してあり、また、スカート部４６Ｂには、その周方向を四等分した箇所に挿入部４８が設けてあり、これらの挿入部４８の端面部には突起部４９が設けてある（図３参照）。
【００３４】
挿入部４８は、図５に示すように、スカート部４６Ｂを切欠して形成された開設部５０と、開設部５０の外方に位置する片状のストッパ部５１とで囲まれており、ストッパ部５１はプランジャ本体４６Ａに一体に形成してある。そして、ストッパ部５１の先部には外方に突出するようにした爪部５１Ａが設けてある。
【００３５】
そして、図３に示すように、ベース部材５の底面部５ａには、スイッチ基板装着部８にスイッチ基板２５を装着してスイッチ部２が取付けてあり、この場合、ベース部材５に設けた基板押え１２がスイッチ基板２５を押えて固定している。そして、スイッチ基板２５が底面部５ａの開口部７を閉塞していて、開口部７からコネクタ２７が外方に突出し、ベース部材５の中央にタクタイルスイッチ２６が位置している。
【００３６】
また、図３に示すように、底面部５ａに設けたばね係止用突起部９にコイルばね３５の一端部（下端部）が係止してあり、タクタイルスイッチ２６上に操作部材３４が載せてあって、操作部材３４の中央部位３４Ａのスイッチ作動部３６がタクタイルスイッチ２６の可動部２６Ｃに接触している。操作部材３４の四本の分岐部３７のばね受部２８Ａにコイルばね３５の他端部（上端部）が嵌合している。
【００３７】
また、図３に示すように、ベース部材５には、操作部材３４に重ねるようにしてプランジャ４１が挿入してあり、この場合、プランジャ４１に設けた突起部４９が操作部材３４の分岐部３７の孔部３８に遊嵌させてある。
【００３８】
また、プランジャ４１のストッパ部５１がベース部材５のガイド部１１を介してストッパ挿入部１０に挿入してある。この場合、プランジャ４１はコイルばね３５のばね力により持ち上げられることで、プランジャ４１に設けたストッパ部５１の爪部５１Ａが、ベース部材５に設けたプランジャ用ストッパ１１に引っ掛かるようになる。
【００３９】
また、図３に示すように、ベース部材５にはカバー部材６が装着してある。この場合、カバー部材６に設けた四本の係止片部２１が、ベース部材５のカバー係合部１３の凹部１４に挿入してあって、係止片部２１の係止孔部２２に係止突起部１５が係止してある。そして、図３に示すように、プランジャ４１に押しボタン４０が被せてある。
【００４０】
また、図３に示すように、シール部材４２は、その基側シール部５２Ａがベース部材５とカバー部材６とで挟着され、先側シール部５２Ｂがプランジャ４１のシール装着溝部４７に嵌着されると共に、プランジャ４１と押しボタン４０とで挟着されていて、シール部材４２によりスイッチ部２及びスイッチ駆動部３の防塵・防水が行なわれている。
【００４１】
なお、上記のように構成された押しボタンスイッチＡにおいて、押しボタン４０に押込み力を加えて押込むと、押しボタン４０は偏りすることなく、図３において下方に移動（平行移動）する。このために、プランジャ４１がコイルばね３５に抗して下方に押し込まれて操作部材３４の分岐部３７は、下方に押される。
【００４２】
したがって、分岐部３７は撓み、分岐部３７に加わる力は操作部材３４の中央部位３４Ａに作用して、スイッチ作動部３６がタクタイルスイッチ２６の可動部２６Ｃを押し込み、このタクタイルスイッチ２６をオン作動させる。
【００４３】
そして、押しボタン４０の押込みを解除すると、分岐部３７の復元力とコイルばね３５のばね力によりプランジャ４１が持ち上げられて、このプランジャ４１は元の位置に戻り、また、操作部材３４の分岐部３７は元の状態に復帰し、スイッチ作動部３６の可動部２６Ｃへの押込み力が解除されてタクタイルスイッチ２６をオフ作動させる。
【００４４】
取付リング５４は、図１及び図３に示すように、その外周部にフランジ部５６と雄ねじ部５５とが形成してあり、また、取付リング５４の内周部にはストッパ部５７が形成してある。
【００４５】
次に、上記のように構成された押しボタンスイッチＡの表面パネルＢの取付けを説明する。
【００４６】
図１に示すように、押しボタンスイッチＡの押しボタン４０を表面パネルＢの円形状の取付孔Ｂ−１に挿入する。そして、図２及び図３に示すように、取付孔Ｂ−１に取付リング５４を挿入して、取付リング５４の雄ねじ部５５をカバー部材６の雌ねじ部１９に螺合させ、取付リング５４のフランジ部５６とカバー部材６の端面部とで表面パネルＢを挟持することで押しボタンスイッチＡが表面パネルＢに取付けられる。
【００４７】
この際に、押しボタン４０は、コイルばね３５のばね力によりプランジャ４１を介して持ち上げられていて、押しボタン４０のフランジ部４５が取付リング５４のストッパ部５７に衝合し、押しボタン４０の取付けが行なわれている。また、シールリング５９の存在により、表面パネルＢとスイッチ本体１のカバー部材６との隙間からの塵挨や水のスイッチ部３及びスイッチ駆動部３側への侵入が防止されている。
【００４８】
上記したように、本発明の実施の形態１によれば、押しボタンスイッチＡの押しボタン４０を表面パネルＢの取付孔Ｂ−１に挿入すると共に、取付孔Ｂ−１に取付リング５４を挿入して、取付リング５４の雄ねじ部５５をカバー部材６の内周部に設けた雌ねじ部１９に螺合させ、取付リング５４のフランジ部５６とカバー部材６の端面部６ａとで表面パネルＢを挟持することで押しボタンスイッチＡを表面パネルＢに取付けるようにしたことにより、押しボタンスイッチＡの取付位置決めが容易になるし、しかも、表面パネルＢの取付孔Ｂ−１を基準に押しボタンスイッチＡを取付けるようになるので、押しボタン４０が表面パネルＢに対して傾くことがなく、この傾きにより生じた表面パネルＢとの干渉によるタクタイルスイッチ２６の復帰不良の発生を防ぐことができる。
【００４９】
（実施の形態２）
本発明に係る押しボタンスイッチの取付装置の実施の形態２を図７乃至図１３に示す。
【００５０】
本発明に係る押しボタンスイッチの取付装置の実施の形態２は、本発明の実施の形態１で説明した押しボタンスイッチＡを、アタッチメント７０を用いて表面パネルＢに取付けるものである。
【００５１】
アタッチメント７０は、図７に示すように、押しボタンスイッチＡのベース部材５の直径に略等しい長さの連結部位７１の両端部に、この連結部位７１に対して直角に屈曲した屈曲部７２を形成した側面視でコ字形状の部材本体７０Ａを有していて、部材本体７０Ａの屈曲部７２はベース部材５の周部５ｂと同じ曲率を有している。
【００５２】
そして、連結部位７１の一方の辺縁部の中央には切欠き部７３が形成してあり、連結部位７１の内面部の両側にはそれぞれ一対の係合凸部７４が突設してあるし、また、連結部位７１の面部には四つの端子孔７５が形成してある。更に、部材本体７０Ａの屈曲部７２の外面には係合突起部７６が突設してある。
【００５３】
表面パネルＢの裏面には、図７に示すように、その取付孔Ｂ−１を挟んだ対向位置に、アタッチメント連結部である取付用脚部７７が設けてあり、これらの取付用脚部７７はベース部材５の周部５ｂと同じ曲率を有しており、取付用脚部７７には係合孔部７８が形成してあり、取付用脚部７７の内面側には、図１０に示すように、係合突起部７４を係合孔部７８に導くガイド溝部７９が形成してある。
【００５４】
そして、図８に示すように、まず、一対の係合凸部７４を係合凹部６１に係合して押しボタンスイッチＡの裏面にアタッチメント７０を装着する。この場合、図１０に示すように、切欠き部７３内にはコネクタ２７が位置するようになり、屈曲部７２はベース部材５の周部５ｂに沿うようになる。また、タクタイルスイッチ２６の端子２６Ａが端子孔７５を貫通している。
【００５５】
そして、押しボタンスイッチＡの押しボタン４０を表面パネルＢの取付孔Ｂ−１に挿入し、シールリング５９を表面パネルＢの裏面に接触させた状態で、押しボタンスイッチＡを図１０及び図１１において矢印方向に回転させることで、屈曲部７２の係合突起部７６をガイド溝部７９に挿入した後、図１２及び図１３に示すように、係合孔部７８に係合することで押しボタンスイッチＡが表面パネルＢに取付けてある。
【００５６】
上記したように、本発明の実施の形態２によれば、押しボタンスイッチＡにアタッチメント７０を装着して、アタッチメント７０を取付用脚部（アタッチメント連結部）７７に連結することで、押しボタンスイッチＡを表面パネルＢに取付けることができるために、異なるアタッチメントを複数種用意すれば、それぞれのアタッチメントに対応した押しボタンスイッチの取付けを行なうことができる。
【００５７】
特に、押しボタン４０を取付孔Ｂ−１に挿入して、押しボタンスイッチＡを回転させることで、係合突起部７４を、ガイド溝部７９を経て係合孔部７８に係合することで押しボタンスイッチＡを表面パネルＢに取付けるために、取付工数を軽減することができるし、また、寸法が悪いスタッドボルト等を使用しないので、押しボタンスイッチＡのセンタリングが良好になり、センタリングが悪い場合に生じる表面パネルＢとの干渉によるタクタイルスイッチの復帰不良の発生を防ぐことができる。スタッドボルト等を使用しないので、コストを軽減することができる。
【００５８】
（実施の形態３）
本発明に係る押しボタンスイッチの取付装置の実施の形態３を図１４乃至図１６に示す。
【００５９】
本発明に係る押しボタンスイッチの取付装置の実施の形態３は、本発明の実施の形態１で説明した押しボタンスイッチＡを、アタッチメント９０を用いて表面パネルＢに取付けるものである。
【００６０】
アタッチメント９０は、本発明に係る押しボタンスイッチの取付装置の実施の形態２で使用した、図７に示すアタッチメント７０において、その屈曲部７２の外面部に係合突起部７４に替えて中空円筒形状のボス部９１を形成したものであり、他の構成はアタッチメント７０と同じであるために、同じ符号を付して説明を省略する。
【００６１】
また、表面パネルＢの裏面には、図１４及び図１６に示すように、その取付孔Ｂ−１を挟んだ対向位置にアタッチメント連結部である取付用ロッド９２が設けてあり、これらの取付用ロッド９２の端部にはねじ部９３が形成してある。
【００６２】
そして、図１５に示すように、一対の係合凸部７４を係合凹部６１に係合して押しボタンスイッチＡの裏面にアタッチメント９０を装着する。この場合、切欠き部７３内にはコネクタ２７が位置するようになり、屈曲部７２はベース部材５の周部５ｂに沿うようになる。また、タクタイルスイッチ２６の端子２６Ａが端子孔７５を貫通している。
【００６３】
そして、表面パネルＢの取付用ロッド９２をアタッチメント９０のボス部９１に貫通させると共に、押しボタン４０を表面パネルＢの取付孔Ｂ−１に挿入して、シールリング５９を表面パネルＢの裏面に接触させる。この状態で、取付用ロッド９２のねじ部９３にアタッチメント連結部であるナット部材９４を螺合して、これらのナット部材９４を締付けることで、図１６に示すように、押しボタンスイッチＡが表面パネルＢに取付けてある。
【００６４】
上記したように、本発明の実施の形態３によれば、押しボタンスイッチＡにアタッチメント９０を装着して、このアタッチメント９０をアタッチメント連結部（取付用ロッド９２とナット部材９４）に連結することで、押しボタンスイッチＡを表面パネルＢに取付けることができるために、異なるアタッチメントを複数種用意すれば、それぞれのアタッチメントに対応した押しボタンスイッチの取付けを行なうことができる。
【００６５】
特に、取付用ロッド９２をボス部９１に挿入貫通させると共に、押しボタン４０を取付孔Ｂ−１に挿入して、ねじ部９３にナット部材９４を螺合することで押しボタンスイッチＡを表面パネルＢに取付けるために、取付工数を軽減することができるし、スタッドボルト等を使用しないので、コストを軽減することができる。特に、強度的にはねじ構成が一番信頼性があり、例えば、表面側から押しボタンスイッチを強く押したとき等、押しボタンスイッチが抜けないような取付け強度を確立することができる。
【００６６】
以上説明した本発明に係る実施の形態１〜３によれば、要するに、実施の形態１では取付リンク５４、実施の形態２ではアタッチメント７０、そして、実施の形態３によればアタッチメント９０等、複数種用意しておけば、押しボタンスイッチＡ側においては、せいぜい、カバー部材６の内周部に雌ねじ部１９を設けたり、アタッチメント７０やアタッチメント９０の係合突起７４を係合させる係合凹部６１をベース部材５に形成することを標準としておけば、表面パネルＢに取付けることができ、この結果として、押しボタンスイッチＡの構造を表面パネルＢの取付構造に適合するように複数種用意せずに、押しボタンスイッチ構造の統一化を果たすことができ、これによって、押しボタンスイッチのコストダウンを達成することができる。
【００６７】
（実施の形態４）
上記した本発明にかかる実施の形態をさらに発展させると、図１７に示す実施の形態４、或いは図１８及び図１９に示す実施の形態５のような押しボタン取付構造になる。
【００６８】
図１７に示す本発明にかかる押しボタンスイッチの取付装置の実施の形態４は、本発明の実施の形態１で説明した押しボタンスイッチＡを、取付リング５４及びアタッチメント７０、９０を使用することなく表面パネルＢに取付けるようにしたものである。
【００６９】
この場合、押しボタンスイッチＡは、そのベース部材５の周部５ａに、相対向する係合突起部８０を突設しており、カバー部材６の周部には切欠き部８１が設けてあって、この切欠き部８１は係合突起部８０に嵌合してある。
【００７０】
表面パネルＢの裏面には、図１７に示すように、その取付孔Ｂ−１を挟んだ対向位置にアタッチメント連結部が設けてある。アタッチメント連結部は図７に示すアタッチメント連結部と同じ構成であって、取付用脚部７７を有しており、これらの取付用脚部７７はベース部材５の周部５ｂと同じ曲率を有しており、取付用脚部７７には係合孔部７８が形成してあり、取付用脚部７７の内面側には、係合突起部７４を係合孔部７８に導くガイド溝部７９が形成してある（図１０参照）。
【００７１】
そして、押しボタンスイッチＡの押しボタン４０を表面パネルＢの取付孔Ｂ−１に挿入して、シールリング５９を表面パネルＢの裏面に接触させた状態で、押しボタンスイッチＡを図１０と同様にして矢印方向に回転させることで、係合突起部８０を、表面パネルＢの取付用脚部７７のガイド溝部７９に挿入した後、係合孔部７８に係合することで押しボタンスイッチＡが表面パネルＢに取付けてある。
【００７２】
上記したように、本発明の実施の形態４によれば、取付リング５４及びアタッチメント７０、９０を使用することなく、また、取付ねじ等を使用しないので、コストを軽減することができる。
【００７３】
（実施の形態５）
また、図１８及び図１９に示す本発明に係る押しボタンスイッチの取付装置の実施の形態５は、本発明の実施の形態１で説明した押しボタンスイッチＡを、取付リング５４及アタッチメント７０、９０を用いることなく表面パネルＢに取付けるものである。
【００７４】
また、表面パネルＢの裏面には、図１８に示すように、その取付孔Ｂ−１を挟んだ対向位置にアタッチメント連結部であるスナップフィット９５が設けてあり、これらのスナップフィット９５は、その先部に係合爪部９６を備えている。
【００７５】
そして、押しボタンスイッチＡの押しボタン４０を表面パネルＢの取付孔Ｂ−１に挿入して、シールリング５９を表面パネルＢの裏面に接触させた状態で、スナップフィット９５の係合爪部９６を、図１９に示すように、係合部６１に係合することで押しボタンスイッチＡが表面パネルＢに取付けてある。
【００７６】
上記したように、本発明の実施の形態５によれば、取付リング５４及びアタッチメント７０、９０を使用することなく、また、取付ねじ等を使用しないので、コストを軽減することができる。
【産業上の利用可能性】
【００７７】
本発明に係る押しボタンスイッチの取付装置によれば、押しボタンスイッチにアタッチメントを装着して、当該アタッチメントをアタッチメント連結部に連結することで、押しボタンスイッチをスイッチ取付部材に取付けることができるために、異なるアタッチメントを複数種用意すれば、それぞれのアタッチメントに対応した押しボタンスイッチの取付けを行なうことができ、この結果、押しボタンスイッチの構造をスイッチ取付部材側の取付構造に適合するように複数種用意するのではなく、押しボタンスイッチ構造の統一化を果たすことができ、これによって、押しボタンスイッチのコストダウンを達成することができるために、例えば、エレベータの昇降方向を指示する方向指示スイッチであるエレベータスイッチ等に使用する押しボタンスイッチの取付装置等として有用である。
【図面の簡単な説明】
【００７８】
【図１】本発明に係る押しボタンスイッチの取付装置（実施の形態１）の分解状態の斜視図である。
【図２】同押しボタンスイッチの取付装置（実施の形態１）により押しボタンスイッチを表面パネルに取付けた状態の斜視図である。
【図３】同押しボタンスイッチの取付装置（実施の形態１）と押しボタンスイッチの縦断面図である。
【図４】押しボタンスイッチの分解状態の斜視図である。
【図５】同押しボタンスイッチの一部の分解状態を斜め上から見た斜視図である。
【図６】同押しボタンスイッチの一部の分解状態を斜め下から見た斜視図である。
【図７】本発明に係る押しボタンスイッチの取付装置（実施の形態２）の分解状態の斜視図である。
【図８】押しボタンスイッチにアタッチメントを装着した状態の斜視図である。
【図９】同押しボタンスイッチの取付装置（実施の形態２）により押しボタンスイッチを表面パネルに取付けた状態の斜視図である。
【図１０】押しボタンスイッチを表面パネルに取付ける手順として押しボタンスイッチの回転初期状態の説明図である。
【図１１】同押しボタンスイッチの回転初期状態を示す側面図である。
【図１２】押しボタンスイッチを表面パネルに取付ける手順として押しボタンスイッチの回転後期状態の説明図である。
【図１３】同押しボタンスイッチの回転後期状態を示す側面図である。
【図１４】本発明に係る押しボタンスイッチの取付装置（実施の形態３）の分解状態の斜視図である。
【図１５】押しボタンスイッチにアタッチメントを装着した状態の斜視図である。
【図１６】同押しボタンスイッチの取付装置（実施の形態３）と押しボタンスイッチの縦断面図である。
【図１７】本発明に係る押しボタンスイッチの取付装置（実施の形態４）の分解状態の斜視図である。
【図１８】本発明に係る押しボタンスイッチの取付装置（実施の形態５）の分解状態の斜視図である。
【図１９】同押しボタンスイッチの取付装置（実施の形態５）と押しボタンスイッチの縦断面図である。
【図２０】従来の押しボタンスイッチの取付装置の縦断面図である。
【符号の説明】
【００７９】
Ａ      押しボタンスイッチ
Ｂ      表面パネル（スイッチ取付部材）
１      スイッチ本体
２      スイッチ部
３      スイッチ駆動部
４      押しボタン部
５      ベース部材
６      カバー部材
１９    雌ねじ部（アタッチメント連結部）
２６    タクタイルスイッチ（内蔵スイッチ）
４０    押しボタン
５４    取付リング（アタッチメント）（取付用部材）
５５    雄ねじ部
５６    フランジ部
６１    係合部
７０    アタッチメント（取付用部材）
７０Ａ  部材本体
７１    連結部位
７２    屈曲部
７４    係合凸部
７５    端子孔
７６    係合突起部
７７    取付用脚部（アタッチメント連結部）
７８    係合孔部
７９    ガイド溝部
８０    係合突起部
９０    アタッチメント
９１    ボス部
９２    取付用ロッド（アタッチメント連結部）
９３    ねじ部
９４    ナット部材（アタッチメント連結部）
９５    スナップフィット（アタッチメント連結部）
９６    係合爪部
【図１】
2006331809.tif 000003
【図２】
2006331809.tif 000004
【図３】
2006331809.tif 000005
【図４】
2006331809.tif 000006
【図５】
2006331809.tif 000007
【図６】
2006331809.tif 000008
【図７】
2006331809.tif 000009
【図８】
2006331809.tif 000010
【図９】
2006331809.tif 000011
【図１０】
2006331809.tif 000012
【図１１】
2006331809.tif 000013
【図１２】
2006331809.tif 000014
【図１３】
2006331809.tif 000015
【図１４】
2006331809.tif 000016
【図１５】
2006331809.tif 000017
【図１６】
2006331809.tif 000018
【図１７】
2006331809.tif 000019
【図１８】
2006331809.tif 000020
【図１９】
2006331809.tif 000021
【図２０】
2006331809.tif 000022